(57)【要約】【課題】建物に対して縦横に配置される手摺桿に器具保持機能を兼用させ、各種の器具を取付けることのできる器具保持部材について手摺桿との嵌着箇所のみを脱着可能で摺動可能な特定構造とすることによって多種の器具を保持させることを可能とした多目的に使用することのできる手摺における器具保持装置を提供すること。【解決手段】横断面で外部から中心に向う細溝部５および細溝部に連続し中心位置で細溝部より両側に拡幅した拡幅溝部６を有する手摺桿１と、細溝部を通過して組立られ且つ組立後は両側の嵌合突部９が拡幅溝部に嵌合して細溝部から通過不可とされる幅を有する頭部１０および頭部から延長され手摺桿の細溝部を通じて外部に先端が突出するボルト接合用の螺軸１１を有する器具保持部材８とを具備する手摺における器具保持装置。【選択図】図２
2009172134.tif 000002
【特許請求の範囲】
【請求項１】
横断面で外部から中心に向う長さ方向に延長する細溝部および該細溝部に連続し中心位置で該細溝部より両側に拡幅した長さ方向に延長する拡幅溝部を有する手摺桿と、該細溝部を通過して組立られ且つ組立後は両側の嵌合突部が該拡幅溝部に嵌合して該細溝部から通過不可とされる幅を有する頭部および該頭部から延長され該手摺桿の該細溝部を通じて該手摺桿の外部に先端が突出するボルト接合用の螺軸を有する器具保持部材とを具備し、該器具保持部材が該手摺桿の長さ方向に移動可能とされることを特徴とする手摺における器具保持装置。
【請求項２】
該器具保持部材における該頭部の該嵌合突部が、該手摺桿の該拡幅溝部と該細溝部との段差に生じる両段部を回動する該頭部の両側に軸着された転動体で形成されていることを特徴とする請求項１記載の手摺における器具保持装置。
【請求項３】
該器具保持部材の該螺軸には器具が止着された器具保持板の透孔が挿通され且つナットによる締付けにより装着されることを特徴とする請求項１又は２記載の手摺における器具保持装置。
【請求項４】
該器具保持部材は、該頭部の長さ方向中心線とこれと交叉する該螺軸の軸線を共有する面を対称面とした面対称状に二分割された分割体を衝合して形成され、該器具保持部材の二分割された各該頭部半体は該手摺桿の該細溝部を通過可能な幅を有することを特徴とする請求項１乃至３のいずれか１項記載の手摺における器具保持装置。
【請求項５】
該器具保持部材の該頭部は、該手摺桿の該拡幅溝部に嵌合する該嵌合突部を両側に有する広幅対向側面とこれらに直交し且つ該手摺桿の該細溝部を通過可能な幅を有する狭幅対向側面とを具備し、外方から該狭幅対向側面が該細溝部を通過して該頭部が該拡幅溝部に達して回転され該広幅対向側面の両端が該拡幅溝部の側面に対面するように該器具保持部材が位置した状態で、底板部に該螺軸が通過できる挿通孔が穿設されると共に該挿通孔を挟んで該底板部両側から該狭幅対向側面の間隔を置いて立設され且つ該細溝部を通過可能な幅の一対の回転防止突縁を有する回転防止ブロックが、該透孔に該螺軸を通過させて一対の該回転防止突縁が該細溝部内に挿入されると共に該螺軸に螺合したナットの締付けによって一対の該回転防止突縁が該狭幅対向側面を挟むように装着されることを特徴とする請求項１乃至３のいずれか１項記載の手摺における器具保持装置。
【発明の詳細な説明】
【技術分野】
【０００１】
本発明は、建物の壁面に沿って縦方向または横方向に設置された手摺桿にシャワーフック、鏡、石鹸置き台、棚等の器具を保持するための手摺における器具保持装置に関する。
【背景技術】
【０００２】
建物の壁面、特に浴室の壁面に縦桿を設置し、該縦桿にシャワーフック等の器具を保持させる装置は従来知られている（例えば、特許文献１、特許文献２参照。）。これらの装置は、縦桿と器具との間に構造上特別な関連性を有するので、保持される器具は特定構造を有するものに限定され、取付方向についても限定される。したがって浴室以外の場所での使用、例えば台所等での使用や、多種の器具に対しての対応に応用することが困難である。
【０００３】
【特許文献１】特許第３０４４１４７号公報
【特許文献２】特開２００４−２８５８１８号公報
【発明の開示】
【発明が解決しようとする課題】
【０００４】
本発明が解決しようとする課題は、建物に対して縦横に配置される手摺桿に器具保持機能を兼用させ、各種の器具を取付けることのできる器具保持部材について手摺桿との嵌着箇所のみを脱着可能で摺動可能な特定構造とすることによって多種の器具を保持させることを可能とした多目的に使用することのできる手摺における器具保持装置を提供することにある。
【課題を解決するための手段】
【０００５】
前記課題を解決するために、本発明にかかる手摺における器具保持装置は、横断面で外部から中心に向う長さ方向に延長する細溝部および該細溝部に連続し中心位置で該細溝部より両側に拡幅した長さ方向に延長する拡幅溝部を有する手摺桿と、該細溝部を通過して組立られ且つ組立後は両側の嵌合突部が該拡幅溝部に嵌合して該細溝部から通過不可とされる幅を有する頭部および該頭部から延長され該手摺桿の該細溝部を通じて該手摺桿の外部に先端が突出するボルト接合用の螺軸を有する器具保持部材とを具備し、該器具保持部材が該手摺桿の長さ方向に移動可能とされることを主な特徴とする。
【発明の効果】
【０００６】
本発明は、次のような効果を奏する。
Ａ．手摺桿に器具保持機能を兼用させることができる。
Ｂ．器具保持部材は手摺桿が設置された後でも脱着自在であるから、器具の必要性に応じて装着や取外しを行うことができる。また器具保持部材は装着した状態で緊結を緩めることにより手摺桿の長さ方向に移動可能である。
Ｃ．器具保持部材は縦方向に設置された手摺桿にも、横方向に設置された手摺桿にも取付けることが可能である。したがって浴室、トイレ室以外にも台所、居間等、建物の各所における器具保持装置として使用することが可能である。
Ｄ．手摺桿と器具保持部材との嵌着部分は、壁側または下側に隠れて外方から見えないので外観が優美である。
Ｅ．器具保持部材と保持される器具とはボルト接合のみで行われるから、保持される器具の接続機構に複雑な構造を必要としない。したがって多種多様の器具の保持に応用することが可能である。
【発明を実施するための最良の形態】
【０００７】
本発明を実施するための最良の形態について、以下実施例において、添付図面を参照しながら具体的に説明する。
【実施例】
【０００８】
本発明の実施例について添付図面を参照して説明する。
図１には、本発明にかかる手摺における器具保持装置を使用した浴室が示されている。浴室の壁Ｗには、縦横に配置された手摺桿１が取付ブラケット２によって壁Ｗに沿って取付けられている。この手摺桿１は、図２、図７、図８、図１２等に示されるように、金属製の芯部材３の外周に合成樹脂の被覆部材４を被覆され、横断面において外部から中心に向う長さ方向に延長する細溝部５および細溝部５に連続し中心位置で細溝部５より両側に拡幅した長さ方向に延長する拡幅溝部６を有する構造を具備する。そして壁Ｗに取付けられるときに、縦方向の手摺桿１の場合には、細溝部５が壁Ｗに対面するように、また横方向の手摺桿１の場合には、細溝部５が下方を向くようにそれぞれ設定して取付けられる。手摺桿１は本来の手摺の機能と同時に器具保持機能を有する。図１には本発明における器具保持装置によって保持される器具が示されている。即ち縦方向の手摺桿１には、鏡Ｍ、棚Ｓ、シャワーヘッドホルダＨが、また横方向の手摺桿１には石鹸台Ｐ、タオル掛けＲ等が保持される。この実施例では浴室の例を示したが、類似の器具が使用されるキッチンや居間等でも、本発明にかかる手摺における器具保持装置を採用することができる。
【０００９】
図２乃至図７には、本発明にかかる手摺における器具保持装置の第１実施例が示されている。図２において先に説明したように、手摺桿１は横断面で外部から中心に向う長さ方向に延長する細溝部５および細溝部５に連続し中心位置で細溝部５より両側に拡幅した長さ方向に延長する拡幅溝部６を有する。そして前記した器具を保持する器具保持部材８は、手摺桿１の拡幅溝部６と細溝部５との段差に生じる両段部７を回動する両側に軸着された転動体で形成される嵌合突部９が手摺桿１の拡幅溝部６に嵌合することにより細溝部５から通過不可とされる幅を有する頭部１０と、頭部１０から延長され手摺桿１の細溝部５を通じて手摺桿１の外部に先端が突出するボルト接合用の螺軸１１とを具備するものであり、このように細溝部５から通過不可とされる幅を有する頭部１０を壁Ｗに設置後の手摺桿１の拡幅溝部６に脱着可能に嵌合させるために、第１実施例では以下に説明する構成を有する。第１実施例における器具保持部材８では、図４に示されるように、頭部１０の長さ方向中心線とこれと交叉する螺軸１１の軸線を共有する面を対称面とした面対称状に二分割された分割体Ｄ，Ｄを衝合して形成され、器具保持部材８の二分割された各頭部半体１０ａ，１０ａは手摺桿１の細溝部５を通過可能な幅を有する構成とされている。したがって手摺桿１に器具保持部材８を装着するには、各分割体Ｄ，Ｄについてそれぞれの頭部半体１０ａを手摺桿１の細溝部５を通過させて拡幅溝部６に位置させ、各分割体Ｄ，Ｄを衝合させて形成される螺軸１１にナット１２を螺合して締付けることにより、図３および図５に示されるように、細溝部５から通過不可とされる幅を有する頭部１０を壁Ｗに設置後の手摺桿１の拡幅溝部６に嵌合させることができる。
【００１０】
器具保持部材８の螺軸１１には保持すべき器具、または保持すべき器具を結合する部品が接合される。第１実施例では、分割体Ｄ，Ｄを衝合することによって軸線に垂直な通孔１３が形成されており、図６に示されるように、保持される器具であるシャワーヘッドホルダＨの軸先端に固着された取付スリーブ１４に螺軸１１が挿入され、取付スリーブ１４の螺孔（図示されていない。）から通孔１３を通過させてビス１５が挿入締着されることによりシャワーヘッドホルダＨが接合される。シャワーヘッドホルダＨが接合された器具保持部材８は螺軸１１に締付けられたナット１２を緩めることにより、手摺桿１の長さ方向に移動することが可能である。所定の位置に移動された器具保持部材８はナット１２を締付けることによって当該箇所に固定することができる。また保持すべき器具、例えばシャワーヘッドホルダＨを螺軸１１から取外し、次いでナット１２を緩めて螺軸１１から外し、さらに器具保持部材８を分割体Ｄ，Ｄに分割して手摺桿１から抜去すれば、器具保持部材８を手摺桿１から完全に取外すことができる。図７には、保持すべき器具の他の保持手段が示されている。即ち螺軸１１にナット１２を締付ける際に、器具が止着され且つ先端部に透孔１６が穿孔された器具保持板１７の透孔１６を予め挿通しておいた状態でナット締めを行うことによって、器具保持と手摺桿１への固定を同時に行うことができる態様が示されている。
【００１１】
図８乃至図１２には、本発明にかかる手摺における器具保持装置の第２実施例が示されている。この例においても、器具保持部材８は手摺桿１に対して脱着可能な構造を有している。手摺桿１の構造は先に説明したと同様の構造を具備する。即ち図８において手摺桿１は横断面で外部から中心に向う長さ方向に延長する細溝部５および細溝部５に連続し中心位置で細溝部５より両側に拡幅した長さ方向に延長する拡幅溝部６を有する。そして前記した器具を保持する器具保持部材８は、手摺桿１の拡幅溝部６と細溝部５との段差に生じる両段部７を回動する両側に軸着された転動体で形成される嵌合突部９が手摺桿１の拡幅溝部６に嵌合することにより細溝部５から通過不可とされる幅を有する頭部１０と、頭部１０から延長され手摺桿１の細溝部５を通じて手摺桿１の外部に先端が突出するボルト接合用の螺軸１１とを具備するものであり、このように細溝部５から通過不可とされる幅を有する頭部１０を壁Ｗに設置後の手摺桿１の拡幅溝部６に嵌合させるために、第２実施例では以下に説明する構成を有する。第２実施例における器具保持部材８の頭部１０は、図１１（ｂ）に示されるように、手摺桿１の拡幅溝部６に嵌合する転動体が形成する各嵌合突部９を両側に有する広幅対向側面１８，１８と、図１１（ａ）に示されるように、これらに直交し且つ手摺桿１の細溝部５を通過可能な幅を有する狭幅対向側面１９，１９とを具備している。そして器具保持部材８を手摺桿１に装着する場合には、図１１（ａ）に示されるように、外方から手摺桿１の細溝部５に対して狭幅対向側面１９，１９を通過させて挿入することにより器具保持部材８の頭部１０を手摺桿１の拡幅溝部６の位置に配置させる。
【００１２】
この状態で螺軸１１を９０度回転させれば、図１１（ｂ）に示されるように、広幅対向側面１８，１８の両端が各拡幅溝部６の側面に対面するように器具保持部材８が配置され、広幅対向側面１８，１８の両側に存在する嵌合突部９である転動体が手摺桿１の各拡幅溝部６に嵌合される。このように位置された器具保持部材８の回動を防止して器具保持部材８の手摺桿１からの脱落を防止するために、図８乃至図１１に示されるように、回転防止ブロック２０が設けられている。回転防止ブロック２０は、底板部２１に螺軸１１が通過できる挿通孔２２が穿設されると共に挿通孔２２を挟んで底板部２１両側から狭幅対向側面１９，１９の間隔を置いて立設され且つ細溝部５を通過可能な幅の一対の回転防止突縁２３，２３を具備する。そして器具保持部材８における頭部１０の広幅対向側面１８，１８の両側に存在する嵌合突部９である転動体が手摺桿１の各拡幅溝部６に嵌合された状態で、回転防止ブロック２０における挿通孔２２に螺軸１１を挿通すると共に、一対の回転防止突縁２３，２３を手摺桿１の細溝部５に挿入し、図８、図９、図１１（ｃ）に示されるように螺軸１１にナット１２を螺合して締付けると、一対の回転防止突縁２３，２３が狭幅対向側面１９を挟むように回転防止ブロック２０が装着され、器具保持部材８における頭部１０の回転を防止して器具保持部材８の手摺桿１からの脱落を防止する。このようにして細溝部５から通過不可とされる幅を有する頭部１０を壁Ｗに設置後の手摺桿１の拡幅溝部６に嵌合させることができる。なおナット１２を緩く締めた状態で、器具保持部材８は手摺桿１の長さ方向に移動することが可能である。所定の位置に移動された器具保持部材８はナット１２を締付けることによって各嵌合突部９が各段部７を、また回転防止ブロック２０の底板部２１が手摺桿１底部をそれぞれ圧接し、器具保持部材８を当該箇所に固定することができる。
【００１３】
器具保持部材８の螺軸１１に保持すべき器具、または保持すべき器具を結合する部品が接合されるのは、第１実施例と同様である。第２実施例における螺軸１１には軸線に垂直な通孔１３が穿孔されており、第１実施例の通孔１３と同様に器具の保持に役立つ。また図１０には第１実施例と同様に、器具としてのシャワーヘッドホルダＨが保持される態様が示されているが、この場合には螺軸１１に対して先ず前述の回転防止ブロック２０が挿通され、次いでシャワーヘッドホルダＨの軸先端に固着された取付スリーブ１４が挿通され、その後ナット１２が締付けられることにより器具保持部材８の固定と同時に器具としてのシャワーヘッドホルダＨも止着されることになり、この点はナット１２の後方における螺軸１１に器具を保持させる図８および図９に示された態様と相違する。なお器具保持部材８を手摺桿１から取外す場合は、保持された器具、ナット１２、回転防止ブロック２０を螺軸１１から外し、螺軸１１を９０度回転させれば頭部１０の狭幅対向側面１９，１９を手摺桿１の細溝部から抜去させることができるので、器具保持部材８を手摺桿１から完全に取外すことができる。図１２には、保持すべき器具の他の保持手段が示されている。即ち第１実施例の図７に示された態様と同様に、螺軸１１にナット１２を締付ける際に、器具が止着され且つ先端部に透孔１６が穿孔された器具保持板１７の透孔１６を予め挿通しておいた状態でナット締めを行うことによって、器具保持と手摺桿１への固定を同時に行うことができる。
【００１４】
前記したように、第１実施例および第２実施例では、いずれも器具保持部材８は既設の手摺桿１に対して脱着自在であるから、器具の必要性に応じて装着することができる。また器具保持部材８は装着した状態で手摺桿１との緊結を緩めることにより手摺桿１の長さ方向に移動可能である。さらに器具保持部材８は、壁Ｗに対して縦方向に設置された手摺桿１にも、横方向に設置された手摺桿１にも取付けることが可能であり、したがって浴室、トイレ室以外にも台所、居間等、建物の各所における器具保持装置として使用することが可能である。そして壁Ｗに取付けられるときに、縦方向の手摺桿１の場合には、細溝部５が壁Ｗに対面するように、また横方向の手摺桿１の場合には、細溝部５が下方を向くようにそれぞれ設定して取付けられるから、手摺桿１と器具保持部材８との嵌着部分は、壁側または下側に隠れて外方からは見えないから外観が優美である。また器具保持部材８と保持される器具とはボルト接合のみで行われるから、保持される器具の接続機構に複雑な構造を必要とせず、したがって多種多様の器具の保持に応用することが可能である。
【図面の簡単な説明】
【００１５】
【図１】手摺における器具保持装置の設置状態を示す斜視図である。
【図２】第１実施例における器具保持装置の横断面図である。
【図３】一部を欠截した第１実施例における器具保持装置の斜視図である。
【図４】第１実施例における器具保持装置の分解斜視図である。
【図５】他方向から見た器具保持装置の斜視図である。
【図６】第１実施例において器具の保持状態を示す分解斜視図である。
【図７】第１実施例において他の器具保持手段を示す横断面図である。
【図８】第２実施例における器具保持装置の横断面図である。
【図９】一部を欠截した第２実施例における器具保持装置の斜視図である。
【図１０】第２実施例において器具の保持状態を示す分解斜視図である。
【図１１】（ａ）は第２実施例において、器具保持部材の頭部を手摺桿に挿入した際の横断面図、（ｂ）は器具保持部材の頭部を回転させた状態の横断面図、（ｃ）はナットを締付けた状態の横断面図である。
【図１２】第２実施例において他の器具保持手段を示す横断面図である。
【符号の説明】
【００１６】
１  手摺桿
５  細溝部
６  拡幅溝部
７  段部
８  器具保持部材
９  嵌合突部
１０  頭部
１０ａ  頭部半体
１１  螺軸
１２  ナット
１６  透孔
１７  器具保持板
１８  広幅対向側面
１９  狭幅対向側面
２０  回転防止ブロック
２１  底板部
２２  挿通孔
２３  回転防止突縁
Ｄ  分割体
【図１】
2009172134.tif 000003
【図２】
2009172134.tif 000004
【図３】
2009172134.tif 000005
【図４】
2009172134.tif 000006
【図５】
2009172134.tif 000007
【図６】
2009172134.tif 000008
【図７】
2009172134.tif 000009
【図８】
2009172134.tif 000010
【図９】
2009172134.tif 000011
【図１０】
2009172134.tif 000012
【図１１】
2009172134.tif 000013
【図１２】
2009172134.tif 000014